(57)【要約】【解決手段】本発明による鼻骨伝導式無線通信伝送装置は、出力される前の音声を電波に転換する第一振動器を有する骨伝導式入力装置と、骨伝導式入力装置に電気的に接続されることにより電波信号を受けて外部へ伝送したり外部の電波信号を受けたりする無線通信伝送装置と、無線通信から伝送された外部の電波信号を受けてその電波信号を振動波に転換しそののち鼻骨を介してその振動波を耳内へ伝導させる第二振動器を有する骨伝導式出力装置と、上述の装置を載せるホルダー装置と、を備える。ホルダー装置を鼻部に貼付け、ホルダー装置に載せた骨伝導式出力装置と骨伝導式入力装置を鼻部の骨・皮膚に緊密に接触させ、骨伝導式出力装置の振動波を鼻腔において共鳴させ、そののち鼻骨を介して耳内へ伝導させ、続いて骨伝導式入力装置により鼻腔において共鳴して発生した音波を電波に転換して無線通信伝送装置へ伝導させ、信号を発する。【選択図】図１
2008511217.tif 000002
【特許請求の範囲】
【請求項１】
鼻骨伝導式無線通信伝送装置であって、
出力される前の音声を電波に転換する第一振動器を有する骨伝導式入力装置と、
骨伝導式入力装置に電気的に接続されることにより電波信号を受けて外部へ伝送したり外部の電波信号を受けたりする無線通信伝送装置と、
無線通信から伝送された外部の電波信号を受けてその電波信号を振動波に転換しそののち鼻骨を介してその振動波を耳内へ伝導させる第二振動器を有する骨伝導式出力装置と、
前記骨伝導式入力装置、前記無線通信電送装置及び骨伝導式出力装置を搭載するホルダー装置と、を備え、
ホルダー装置を鼻部に貼付け、ホルダー装置に載せた骨伝導式出力装置と骨伝導式入力装置を鼻部の骨・皮膚に緊密に接触させ、骨伝導式出力装置の振動波を鼻腔において共鳴させ、そののち鼻骨を介して耳内へ伝導させ、続いて骨伝導式入力装置により鼻腔において共鳴して発生した音波を電波に転換して無線通信伝送装置へ伝導させ、信号を発することを特徴とする鼻骨伝導式無線通信伝送装置。
【請求項２】
無線通信伝送装置は、ブルートゥース無線通信に基づいたものであるか、マイクロ波または赤外線により無線信号を受信・伝送することを特徴とする請求項１記載の鼻骨伝導式無線通信伝送装置。
【請求項３】
無線通信伝送装置は、少なくともアンテナ、信号送受信ユニットと信号処理ユニットを含むことを特徴とする請求項１記載の鼻骨伝導式無線通信伝送装置。
【請求項４】
無線通信伝送装置は、少なくとも機能選択器、音源切換器と音量調整器を含むことを特徴とする請求項１記載の鼻骨伝導式無線通信伝送装置。
【請求項５】
無線通信伝送装置は、無線調整器にワイヤレス接続されることを特徴とする請求項１記載の鼻骨伝導式無線通信伝送装置。
【請求項６】
無線通信伝送装置は、さらに送話器を有し、送話器は音声を収集し、かつ収集した信号を骨・皮膚伝導式出力装置へ伝送することにより補助器の機能を持たせることが可能であることを特徴とする請求項１記載の鼻骨伝導式無線通信伝送装置。
【請求項７】
鼻骨伝導式無線通信伝送装置であって、
出力される前の音声を電波に転換する振動器を有する骨伝導式入力装置と、
骨伝導式入力装置に電気的に接続されることにより電波信号を受信する無線通信伝送装置と、
前記骨伝導式入力装置および前記無線通信伝送装置を搭載するホルダー装置と、を備え、
ホルダー装置を鼻部に貼付け、ホルダー装置に載せた骨伝導式入力装置を鼻部の骨・皮膚に緊密に接触させ、骨伝導式入力装置により鼻腔において共鳴して発生した音波を電波に転換して無線通信伝送装置へ伝導させ、信号を発することを特徴とする鼻骨伝導式無線通信伝送装置。
【請求項８】
ホルダー装置は、めがね、水中眼鏡、塵除けめがね、ゴーグル、鼻用マスク、口用マスク、マスク、頭部用マスク、シール、鼻用クリップまたは鼻部の骨・皮膚に貼り付け可能なもののいずれかであることを特徴とする請求項７記載の鼻骨伝導式無線通信伝送装置。
【請求項９】
無線通信伝送装置は、ブルートゥース無線通信に基づいたものであるか、マイクロ波または赤外線により無線信号を受信・伝送することを特徴とする請求項７記載の鼻骨伝導式無線通信伝送装置。
【請求項１０】
無線通信伝送装置は、少なくともアンテナ、信号送受信ユニットと信号処理ユニットを含むことを特徴とする請求項７記載の鼻骨伝導式無線通信伝送装置。
【請求項１１】
無線通信伝送装置は、少なくとも機能選択器、音源切換器と音量調整器を含むことを特徴とする請求項７記載の鼻骨伝導式無線通信伝送装置。
【請求項１２】
無線通信伝送装置は、無線調整器にワイヤレス接続されることを特徴とする請求項７記載の鼻骨伝導式無線通信伝送装置。
【請求項１３】
鼻骨伝導式無線通信伝送装置であって、
外部の電波信号を受信する無線通信伝送装置と、
無線通信から伝送された外部の電波信号を受信し、その電波信号を振動波に転換し、鼻骨を介してその振動波を耳内へ伝導させる振動器を有する骨伝導式出力装置と、
無線通信伝送装置および骨伝導式出力装置を搭載するホルダー装置と、を備え、
ホルダー装置を鼻部に貼付け、ホルダー装置に載せた骨伝導式出力装置を鼻部の骨・皮膚に緊密に接触させ、骨伝導式出力装置の振動波を鼻腔において共鳴させ、そののち鼻骨を介して耳内へ伝導させることを特徴とする鼻骨伝導式無線通信伝送装置。
【請求項１４】
ホルダー装置は、めがね、水中眼鏡、塵除けめがね、ゴーグル、鼻用マスク、口用マスク、マスク、頭部用マスク、シール、鼻用クリップまたは鼻部の骨・皮膚に貼り付け可能なもののいずれかであることを特徴とする請求項１３記載の鼻骨伝導式無線通信伝送装置。
【請求項１５】
無線通信伝送装置は、ブルートゥース無線通信に基づいたものであるか、マイクロ波により無線信号を受信・伝送することを特徴とする請求項１３記載の鼻骨伝導式無線通信伝送装置。
【請求項１６】
無線通信伝送装置は、少なくともアンテナ、信号送受信ユニットと信号処理ユニットを含むことを特徴とする請求項１３記載の鼻骨伝導式無線通信伝送装置。
【請求項１７】
無線通信伝送装置は、少なくとも機能選択器、音源切換器と音量調整器を含むことを特徴とする請求項１３記載の鼻骨伝導式無線通信伝送装置。
【請求項１８】
無線通信伝送装置は、無線調整器にワイヤレス接続されることを特徴とする請求項１３記載の鼻骨伝導式無線通信伝送装置。
【請求項１９】
無線通信伝送装置は、さらに送話器を有し、送話器は音声を収集し、かつ収集した信号を骨伝導式出力装置へ伝送することにより鼻骨伝導式無線通信伝送装置に補助器の機能を持たせることが可能であることを特徴とする請求項１３記載の鼻骨伝導式無線通信伝送装置。
【請求項２０】
鼻骨伝導式無線通信伝送システムであって、
伝送装置と、
伝送装置にワイヤレス接続される鼻骨伝導式無線通信伝送装置と、を備え、
鼻骨伝導式無線通信伝送装置は、
出力される前の音声を電波に転換する第一振動器を有する骨伝導式入力装置と、
骨伝導式入力装置に電気的に接続されることにより電波信号を受けて外部へ伝送したり外部の電波信号を受けたりする無線通信伝送装置と、
無線通信から伝送された外部の電波信号を受けてその電波信号を振動波に転換しそののち鼻骨を介してその振動波を耳内へ伝導させる第二振動器を有する骨伝導式出力装置と、
骨伝導式入力装置、無線通信伝送装置および骨伝導式出力装置を搭載するホルダー装置と、を備え、
ホルダー装置を鼻部に貼付け、ホルダー装置に載せた骨伝導式出力装置と骨伝導式入力装置を鼻部の骨・皮膚に緊密に接触させ、骨伝導式出力装置の振動波を鼻腔において共鳴させ、そののち鼻骨を介して耳内へ伝導させ、続いて骨伝導式入力装置により鼻腔において共鳴して発生した音波を電波に転換して無線通信伝送装置へ伝導させ、信号を発することを特徴とする鼻骨伝導式無線通信伝送システム。
【請求項２１】
ホルダー装置は、めがね、水中眼鏡、塵除けめがね、ゴーグル、鼻用マスク、口用マスク、マスク、頭部用マスク、シール、鼻用クリップまたは鼻部の骨・皮膚に貼り付け可能なもののいずれかであることを特徴とする請求項２０記載の鼻骨伝導式無線通信伝送システム。
【請求項２２】
無線通信伝送装置および伝送装置は、ワイヤレス接続を構成することを特徴とする請求項２０記載の鼻骨伝導式無線通信伝送システム。
【請求項２３】
伝送装置は、連結機能、伝送機能と周波数を調整する機能を有する無線通信製品であることを特徴とする請求項２０記載の鼻骨伝導式無線通信伝送システム。
【請求項２４】
伝送装置は、無線通信器と信号送受信器から構成されることを特徴とする請求項２０記載の鼻骨伝導式無線通信伝送システム。
【請求項２５】
無線通信器は、携帯電話、ＰＤＡまたは類似している無線通信伝送製品であることを特徴とする請求項２４記載の鼻骨伝導式無線通信伝送システム。
【請求項２６】
無線通信器は、さらに赤外線、ＲＦまたはマイクロ波などの無線伝送器を有することを特徴とする請求項２４記載の鼻骨伝導式無線通信伝送システム。
【請求項２７】
無線通信器と信号送受信器とは接続器を介して電気的に接続され、接続器はイヤホン用差込孔、ＰＣＭＣＩＡカードまたはＵＳＢポートなどの用途が異なる形に設計することが可能であることを特徴とする請求項２４記載の鼻骨伝導式無線通信伝送システム。
【請求項２８】
信号送受信器はＭＰ３再生機、ヘッドホンステレオ、計算機、再生録音機、オーディオとテレビなどの音声製品に対応するように接続され、無線通信伝送装置と骨伝導式入力装置とを結合させることによりイヤホン機能を構成することを特徴とする請求項２７記載の鼻骨伝導式無線通信伝送システム。
【請求項２９】
無線通信伝送装置は、少なくともアンテナ、信号送受信ユニットと信号処理ユニットを含むことを特徴とする請求項２０記載の鼻骨伝導式無線通信伝送システム。
【請求項３０】
無線通信伝送装置は、少なくとも機能選択器、音源切換器と音量調整器を含むことを特徴とする請求項２０記載の鼻骨伝導式無線通信伝送システム。
【請求項３１】
無線通信伝送装置は、無線調整器にワイヤレス接続されることを特徴とする請求項２０記載の鼻骨伝導式無線通信伝送システム。
【請求項３２】
無線通信伝送装置はさらに送話器を有し、送話器は音声を収集し、かつ収集した信号を骨・皮膚伝導式出力装置、骨伝導式入力装置へ伝送することにより鼻骨伝導式無線通信伝送装置に補助器の機能を持たせることが可能であることを特徴とする請求項２０記載の鼻骨伝導式無線通信伝送システム。
【請求項３３】
無線通信伝送装置は、ブルートゥース無線通信に基づいたものであるか、マイクロ波により無線信号を受信・伝送することを特徴とする請求項２０記載の鼻骨伝導式無線通信伝送システム。
【請求項３４】
鼻骨伝導式補聴装置であって、
外部から伝送された音声信号を受信・処理する調整制御装置と、
調整制御装置から処理された信号を受信する振動器を有する骨・皮膚伝導式振動装置と、
調整制御装置と骨・皮膚伝導式振動装置を搭載するホルダー装置と、を備え、
ホルダー装置を鼻部に貼付け、骨・皮膚伝導式振動装置を鼻部の骨・皮膚に緊密に接触させ、振動器により骨・皮膚伝導式振動装置が受信した電波を振動波に転換し鼻部へ伝導させ、そののち鼻部の骨・皮膚を介してその振動波を耳内へ伝導させることを特徴とする鼻骨伝導式補聴装置。
【請求項３５】
調整制御装置は、送話器、電波アンプ、周波数制御処理モジュール、信号処理モジュール、フィードバック除去処理モジュール、電源供給装置と信号伝送線を含むことを特徴とする請求項３４記載の鼻骨伝導式補聴装置。
【発明の詳細な説明】
【技術分野】
【０００１】
本発明は鼻骨伝導式無線通信伝送装置、詳しく言えば振動と無線通信装置により送話と受話をする鼻骨伝導式無線通信伝送装置に関するものである。
【背景技術】
【０００２】
音声は空気を介して伝導するものである。一般的に空気を介して音声を耳内へ伝導させる無線イヤホンまたは補聴器は往々にして外界の背景音源を除去することができない。従って骨伝導式または皮膚伝導式振動器が開発されている。
特許文献１に開示された骨格伝導式拡声器による送話と受話装置は、骨格伝導式拡声器、マイク、駆動回路収納部を含み、かつ電話機または無線送受信器に接続することが可能である。上述の骨格伝導式拡声器は口の辺りに配置される上述のマイクに対応し、顔の任意の位置に貼付けされる。しかし、顔の任意の位置に貼り付けても必ずしも骨格伝導効果を有するとは限らない。
【０００３】
またもう一つの周知の頸部に貼り付ける接触式間接音波骨伝導装置は周囲環境の音声を部分的に除去することができるが、喉部に接触するため伝送された音質は濁り、頸部に貼り付けるため滑り易く、使い難いだけでなく美観を損なう。また一般の市内電話の通話中の音声周波信号と比べてこの周知の頸部に貼り付ける接触式間接骨伝導装置の音声周波信号は減衰し、明晰でない。
【０００４】
またもう一つの周知のめがね式補聴器は振動器をめがねのフレームの耳あてに配置することにより音声を受け、背景音源を除去することが可能であるが、聞くという問題が解決できるのみで、発声はできない。また長期間をわたって使用すればめがねのテンプルが緩んでいって耳骨に密着できなくなるため、補聴効果は大幅に低下してしまう。また近年、携帯電話などのモバイルデイバスが普及化してきたと同時に頻繁に使用されるようになった無線ブルートゥースハンズフリー通信装置は携帯式機器の聞く・話すという問題を同時に解決することを可能にするが、背景音源はなかなか除去することができない。また長時間にわたって耳に挟んで使うと不快感を生じる、厚みのあるめがねのテンプルは美観を損なう、耳の裏側に汗が流れやすいため補聴器の機能に支障を与える、運動の際にずれやすいという欠点がある。またこのような骨伝導によるめがね式補聴器をめがねの左右のテンプルに使用する場合、電池、マイクなどの部品を共用することができないため、倍の費用をかけて部品を調達する必要がある。従って経済効果はあまり高くない。
【０００５】
【特許文献１】中華民国特許公告第４６３５１７号明細書
【発明の開示】
【発明が解決しようとする課題】
【０００６】
本発明の主な目的は鼻骨伝導式振動器と無線通信伝送装置により送話と受話をする鼻骨伝導式無線通信伝送装置を提供することである。
本発明のもう一つ目的は、ホルダー装置を介して無線通信伝送装置の送話端と受話端に連接される鼻骨伝導式無線通信伝送装置を提供することである。
本発明のまたもう一つの目的は送話器と無線通信伝送装置により補聴機能を構成する鼻骨伝導式無線通信伝送装置を提供することである。
本発明のまたもう一つの目的は伝送装置と無線通信伝送装置により対話機能を構成する鼻骨伝導式無線通信伝送装置を提供することである。
本発明のまたもう一つの目的は振動器と無線通信伝送装置によりハンズフリー機能を構成する鼻骨伝導式無線通信伝送装置を提供することである。
本発明のもう一つの目的は補聴、対話器、イヤホンとハンズフリーなどの多機能を有する鼻骨伝導式無線通信伝送装置を提供することである。
【課題を解決するための手段】
【０００７】
本発明による鼻骨伝導式無線通信伝送装置は、出力される前の音声を電波に転換する第一振動器を有する骨伝導式入力装置と、骨伝導式入力装置に電気的に接続されることにより電波信号を受けて外部へ伝送したり外部の電波信号を受けたりする無線通信伝送装置と、
無線通信から伝送された外部の電波信号を受けてその電波信号を振動波に転換しそののち鼻骨を介してその振動波を耳内へ伝導させる第二振動器を有する骨伝導式出力装置と、
上述の装置を載せるホルダー装置と、を備える。
【０００８】
上記の構成による鼻骨伝送式無線通信伝送装置の特徴は、ホルダー装置を鼻部に貼付け、ホルダー装置に載せた骨伝導式出力装置と骨伝導式入力装置を鼻部の骨・皮膚に緊密に接触させ、骨伝導式出力装置の振動波を鼻腔において共鳴させ、そののち鼻骨を介して耳内へ伝導させ、続いて骨伝導式入力装置により鼻腔において共鳴して発生した音波を電波に転換して無線通信伝送装置へ伝導させ、信号を発することである。
【０００９】
上述の骨伝導式入力装置は使用者が話す装置である。
上述の骨伝導式出力装置は使用者が音声を受ける装置である。
上述のホルダー装置はめがね、水中眼鏡、塵除けめがね、ゴーグル、鼻用マスク、口用マスク、マスク、頭部用マスク、シール、鼻用クリップまたは鼻部の骨・皮膚に貼り付けることができるものなどのいずれか一つである。
上述の無線通信伝送装置は信号送受信ユニット、信号処理ユニット、送話器、機能選択器、音源切換器と音量調節器を含む。
上述の無線通信伝送装置はさらに送話器を有し、送話器は音声を収集し、かつ収集した音声信号を骨伝導式音声出力装置へ伝送し、本発明による装置に補助器の機能を与えることが可能である。
【００１０】
上述の無線通信伝送装置の信号送受信ユニットは無線信号の送受信を処理することが可能であり、信号送受信ユニットはアンテナ、周波数を調整するモジュール、ＲＦ信号受信モジュール、ＲＦ信号送信モジュール、ＲＦ信号アンプと電子フィルターを含む。
上述の無線通信伝送装置の信号処理ユニットは信号を処理することが可能であり、信号処理ユニットは信号プロセッサー、パラメーター保存器、パラメーター修正レジスタ、機能モジュール、フィードバック除去処理モジュールを含む。
上述のパラメーター保存器は無線通信伝送装置内に予め設定された各項目のパラメーターを保存することが可能である。
【００１１】
上述のフィードバック除去処理モジュールは無線通信伝送装置の音声フィードバックを減少させることが可能である。
上述の機能選択器は機能モジュールを切り換えることが可能である。
上述の音量調節器は音量を調整することが可能である。
上述の無線通信伝送装置は送話器または骨伝導式音声入力装置などの音声源を切り換える音源切換器を有する。
【００１２】
また本発明による鼻骨伝導式無線通信伝送システムは、伝送装置と、伝送装置にワイヤレス接続される鼻骨伝導式無線通信伝送装置と、を含む。
鼻骨伝導式無線通信伝送装置は、出力される前の音声を電波に転換する第一振動器を有する骨伝導式入力装置と、骨伝導式入力装置に電気的に接続されることにより電波信号を受けて外部へ伝送したり外部の電波信号を受けたりする無線通信伝送装置と、無線通信から伝送された外部の電波信号を受けてその電波信号を振動波に転換しそののち鼻骨を介してその振動波を耳内へ伝導させる第二振動器を有する骨伝導式出力装置と、上述の装置を載せるホルダー装置と、を備える。
【００１３】
上記発明の特徴は、ホルダー装置を鼻部に貼付け、ホルダー装置に載せた骨伝導式出力装置と骨伝導式入力装置を鼻部の骨・皮膚に緊密に接触させ、骨伝導式出力装置の振動波を鼻腔において共鳴させ、そののち鼻骨を介して耳内へ伝導させ、続いて骨伝導式入力装置により鼻腔において共鳴して発生した音波を電波に転換して無線通信伝送装置へ伝導させ、信号を発することである。
【００１４】
上述の無線通信伝送装置と伝送装置はワイヤレス接続を構成し、伝送装置は連結機能、伝送機能と周波数を調整する機能を有する無線通信伝送製品である。
上述の無線通信伝送装置と伝送装置との間はブルートゥース無線通信に基づいてワイヤレス接続される。
上述の伝送装置は無線通信器と信号送受信器から構成され、無線通信器は信号送受信器を介して無線通信伝送装置とともにワイヤレス接続を構成する。
上述の無線通信伝送装置はブルートゥース無線通信に基づいたものであるか、マイクロ波により無線信号を受信・伝送する。
【００１５】
上述の無線通信器は携帯電話、ＰＤＡまたは類似している無線通信伝送製品である。
上述の信号送受信器は信号プロセッサー、ＲＦ信号受信モジュール、ＲＦ信号送信モジュールと周波数を調整するモジュールを含み、さらに無線調整器を増設することが可能である。
上述の無線調整器は無線通信伝送装置内に配置されたパラメーター修正、機能モジュールと音量などの機能をワイヤレス方式で調整することが可能である。
上述の無線調整器は伝送装置内に設置するか単独に設置し、ＲＦなどの無線操作方式でパラメーター修正、機能モジュールと音量などの機能を操作することが可能である。
【００１６】
上述の無線通信器と信号送受信器の間は接続器を介して接続され、接続器は無線通信器と信号送受信器に電気的に接続される。また接続器はイヤホン用差込孔、ＰＣＭＣＩＡカードまたはＵＳＢポートなどの用途が異なる形に設計することが可能である。
上述の無線通信伝送装置は伝送装置のＭＰ３再生機、ヘッドホンステレオ、計算機、再生録音機、オーディオとテレビなどの音声信号機能に対応するようにワイヤレス接続されるため、本発明による装置にワイヤレス受信によるイヤホン機能を持たせることが可能である。
上述の伝送装置の信号送受信器における周波数を調整するモジュールと無線通信伝送装置の信号送受信ユニットにおける周波数を調整するモジュールにより周波数を調整すれば、本発明による装置に対話器の機能を持たせることが可能である。
【００１７】
また骨伝導による音声効果と取付の便利性を高めるために、本発明は鼻部にかけるホルダー（例えばめがね）に嵌めることができる鼻骨伝導式補聴装置、鼻部にかけるホルダー（例えばめがね）に挟むか貼り付けることができる鼻骨伝導式補聴装置、または直接鼻部に挟むか貼り付けることができる鼻骨伝導式補聴装置を提供することである。
本発明の目的は鼻骨振動器により外部の音声を耳内へ伝導させる鼻骨伝導式補聴装置を提供することである。
【００１８】
本発明による鼻骨伝導式補聴装置は、外部から伝送された音声信号を受信・処理する調整制御装置と、調整制御装置から処理された信号を受信する振動器を有する骨・皮膚伝導式振動装置と、調整制御装置と骨・皮膚伝導式振動装置を載せるホルダー装置と、を備える。
この特徴は、ホルダー装置を鼻部に貼付け、骨・皮膚伝導式振動装置を鼻骨部の皮膚に緊密に接触させ、振動器により骨・皮膚伝導式振動装置が受信した電波を振動波に転換し鼻部へ伝導させ、そののち鼻部の骨・皮膚を介してその振動波を耳内へ伝導させることである。
【００１９】
上述のホルダー装置はめがね、水中眼鏡、塵除けめがね、ゴーグル、鼻用マスク、シールと保護マスクなどの鼻部の骨・皮膚に貼り付けるホルダーである。
上述の調整制御装置は電源供給装置、警告器、送話器、電波アンプ、周波数制御処理モジュール、信号処理モジュール、フィードバック除去処理モジュールを含む。
上述の送話器は外部の音声を収集することが可能である。
上述の電波アンプは送話器の信号強度を増強することが可能である。
上述の周波数制御処理モジュールは送話器とアンプの信号に対し周波数を選択することが可能である。
【００２０】
上述の信号プロセッサーは周波数が選択された信号を再処理し、出力される音声を使用者の聴覚の需要に満足させることが可能である。
上述のフィードバック除去処理モジュールは補聴装置の音声フィードバックを減少させるか除去することが可能である。
上述の調整制御装置はさらに電源供給装置と音量調節器を有する。
上述の音量調節器は音量を調整することが可能である。
上述の電源供給装置は設備を稼働させるための電源を供給することが可能である。
上述の電源供給装置は電池または電源を供給可能な製品である。
【発明を実施するための最良の形態】
【００２１】
図１は本発明による鼻骨伝導式無線通信伝送システムを示すブロックである。本発明による鼻骨伝導式無線通信伝送装置１００は骨伝導式出力装置と骨伝導式入力装置と無線通信伝送装置とホルダー装置を備える。骨伝導式出力装置１は振動器１０を有し、骨伝導式出力装置２は骨伝導式振動器２０を有し、無線通信伝送装置３は信号処理ユニット３０、信号送受信ユニット３１、音量調節器３２、送話器３３、音源切換器３４、機能選択器３５とアンテナ５３を含み、ホルダー装置（図５と図６に示す通り）は上述の装置を載せ、鼻部に貼り付けられる。無線通信伝送装置３と伝送装置５はワイヤレス接続を構成し、伝送装置５は連結機能、伝送機能と周波数を調整する機能を有する無線通信伝送製品である。また伝送装置５は無線通信器５０と信号送受信器５１から構成され、無線通信器５０と信号送受信器５１は接続器５２を介して電気的に接続される。
【００２２】
具体的な実施例では、無線通信伝送装置３は電源スイッチ４７、電源供給器４８と警告器４９を含む。電源スイッチ４７は本発明による鼻骨伝導式無線通信伝送装置を開閉することが可能である。電源供給器４８は本装置に必要な電力を供給することが可能であり、また電源供給器４８は一般的な電池または燃料電池または電源を供給可能な装置などである。警告器４９は供給された電力が下がり必要な電力よりも低くなると自動的に警告を発することにより使用者に電池更新を知らせることが可能である。無線通信器５０は携帯電話、通信可能なＰＤＡなどの無線通信伝送製品である。接続器５２はイヤホン用差込孔、ＰＣＭＣＩＡカードまたはＵＳＢポートなどの用途が異なる形に設計することが可能である。
【００２３】
図１に示すように、骨伝導式出力装置１は使用者の鼻部に貼り付けられ、骨伝導式出力装置１は鼻部の骨・皮膚に緊密に接触する。骨伝導式出力装置１の振動器１０は無線通信伝送装置３から伝送された電波を振動波に転換し、そして振動波を鼻腔において共鳴させ、そののち鼻骨を介して耳内へ伝導させるため補聴機能を形成することが可能である。骨伝導式入力装置２は使用者の鼻部に貼り付けられ、骨伝導式入力装置２は鼻部の骨・皮膚に緊密に接触する。骨伝導式入力装置２の振動器２０は鼻腔において共鳴して発生した音声が生成した振動波を電波に転換するため送話機能を形成することが可能である。伝送装置５は無線通信伝送装置３を介して電子信号を骨伝導式出力装置１へ伝送し、かつ骨伝導式入力装置２の電子信号を受信する。また伝送装置５の無線通信器５０は接続器５２を介して信号送受信器５１に接続され、無線通信伝送装置３は無線信号を送受信するように骨伝導式入力装置２と骨伝導式出力装置１に電気的に接続される。
【００２４】
本発明による鼻骨伝導式無線通信伝送装置１００はハンズフリー無線通信伝送、無線対話器、補聴器とイヤホンなどの機能を有し、伝送装置５の信号送受信器５１は信号プロセッサー５４、ＲＦ信号受信モジュール５５、ＲＦ信号送信モジュール５６、アンテナ５３と周波数を調整するモジュール５７を含む。本実施例では、伝送装置５の信号送受信器５１はさらに無線調整器を含む。無線調整器はパラメーター修正レジスタ３８内のパラメーターを修正し、機能モジュール４０内の機能と音量調整器３２の音量を調整することが可能である。信号送受信器５１はブルートゥース無線通信に基づいたものであるか、マイクロ波により無線通信伝送装置３とともにワイヤレス接続を構成する。無線通信伝送装置３の信号処理ユニット３０は信号を処理することが可能であり、また信号処理ユニット３０は電源供給器４８、電源スイッチ４７、警告器４９、信号プロセッサー３６、パラメーター保存器３７、パラメーター修正レジスタ３８、フィードバック除去処理モジュール３９と機能モジュール４０を含む。信号プロセッサー３６は複数組の機能モジュールの環境下の周波数を記録し、かつ送受信した電子信号を処理することが可能であり、パラメーター保存器３７は無線通信伝送装置３内の各項目のパラメーターを保存し、ＩＣチップに焼録することが可能であり、パラメーター修正レジスタ３８は使用環境下で直接機能とパラメーターを調整するか無線調整器により機能とパラメーターを修正し、そして最終的に修正したパラメーターを自動的に保存することが可能であり、フィードバック除去処理モジュール３９は信号プロセッサー３６の信号が騒音フィードバックを生じた時、自動的に一組の反対方向の電子信号を生じて騒音フィードバックと相殺させ、かつフィードバック除去の機能を達成し、干渉源を低下させることにより無線通信伝送装置３の音声フィードバックを減少させ、音質の安定度を保持することが可能であり、機能モジュール４０はハンズフリー無線通信、無線対話器、補聴器とイヤホンなどを設定することが可能であるため、本発明は多元性のある機能選択を提供することが可能である。また異なる実施例の応用に対し、無線調整器は伝送装置５また信号送受信器５１内に設置することなく、単独に設置し、ＲＦなどの無線操作方式でパラメーター修正、機能モジュールと音量などの機能を操作することが可能である。
【００２５】
無線通信伝送装置３の信号送受信ユニット３１はアンテナ５８、周波数を調整するモジュール４１、ＲＦ信号受信モジュール４２、ＲＦ信号送信モジュール４３、ＲＦ信号アンプ４４と電子フィルター４５を含む。周波数を調整するモジュール４１は無線電子通信の間の周波数を入れ替えることにより無線情報収集の便を図ることが可能であり、ＲＦ信号受信モジュール４２は無線電子信号伝送用の受信器であり、ＲＦ信号送信モジュール４３は無線電子信号伝送用の送信器であり、ＲＦ信号アンプ４４は無線電子信号を増強し、そののち信号を減衰させないように出力することが可能であり、電子フィルター４５はフィルターにより音声信号から騒音をろ過することにより電波信号の安定度を高めることが可能である。無線通信伝送装置３の機能選択器３５は機能モジュールを切り換えることが可能であり、無線通信伝送装置３の音量調整器３２は音量を調整するか、無線調整器を介して調整の便を図ることが可能であり、無線通信伝送装置の送話器３３は音声を収集し、そして収集した信号を骨伝導式出力装置１に伝送することが可能であるため、鼻骨伝導式無線通信伝送装置１００は補聴器の機能を有することが可能である。
【００２６】
続いて図１に示すように、本発明による鼻骨伝導式無線通信伝送装置１００をハンズフリー無線通信伝送機能に設定する場合、伝送装置５の無線通信器５０と信号送受信器５１を接続させることにより音声信号を無線通信伝送装置３へ伝送することが可能である。無線通信伝送装置３はアンテナ５３とＲＦ信号送信モジュール４２を介して信号を送信し、そののちＲＦ信号アンプ４４を介して信号を増強し、続いて電子フィルター４５を介して騒音をろ過することにより電波信号の安定度を増強し、続いて信号処理ユニット３０の信号プロセッサー３６を介して伝送された信号が無線通信伝送の通信信号であると判断された場合、ハンズフリーの指示を執行し、フィードバック除去処理モジュール３９を介して音量調整器３２へ伝送し、音量を適切に調整し、続いて伝送線４６を介して信号を骨伝導式出力装置１へ伝送し、骨伝導式出力装置１の振動器１０を介して電波を振動波に転換し、そののち鼻骨を介して耳内へ伝導させることにより受話機能を達成する。続いて骨伝導式入力装置２の振動器２０を介して使用者の音声が生成した振動波を電波に転換し、伝送線４６を介して無線通信伝送装置３の音源切換器３４へ伝送し、そして信号処理ユニット３０の信号プロセッサー３６を介して信号を処理し、そののち信号送受信ユニット３１のＲＦ信号アンプ４４を介して信号を増強し、ＲＦ信号送信モジュール４３を介して送信し、アンテナ５８とアンテナ５３を介してこの無線信号を送受信し、そして伝送装置５の信号送受信器５１へ伝送し、続いて接続器５２を介して無線通信器５０へ伝送することにより送話機能を達成すれば、ハンズフリー無線通信伝送機能が完成する。
【００２７】
本発明による鼻骨伝導式無線通信伝送装置１００を無線対話器機能に設定する場合、無線通信伝送装置３の機能選択器３５を介して信号処理ユニット３０の機能モジュール４０において無線対話器の使用に切り換え、続いて無線通信伝送装置３の周波数を調整するモジュール４１と伝送装置５の周波数を調整するモジュール５７との周波数を入れ替えれば無線対話器の使用設定が完成する。無線対話器を運用するには上述の無線通信器５０を無線対話器に置換しさえすればいい。ほかの構造はほぼ同じであるため詳しい説明を省く。
【００２８】
本発明による鼻骨伝導式無線通信伝送装置１００を補聴器機能に設定する場合、無線通信伝送装置３の機能選択器３５を介して信号処理ユニット３０の機能モジュール４０において補聴器の使用に切り換え、続いて無線通信伝送装置３の送話器３３を介して音源切換器３４において送話機能を設定することにより伝送装置５の音声信号の進入を中止し、続いて送話器３３を介して音声を収集する。また無線通信電子信号が伝送装置５に伝導した場合、音源切換器は送話器３３の音声源を自動的に中断すればハンズフリー機能が形成され、電子通信信号が終了すると補助器機能に変わり、信号処理ユニット３０を介して収集した音声信号を処理し、そののち信号を骨伝導式出力装置１へ伝送し、骨伝導式出力装置１の振動器１０を介して電波を振動波に転換し、続いて鼻骨を介して耳内へ伝導させ、受話機能を達成すれば受話機能を有する補聴器が完成する。
【００２９】
本発明による鼻骨伝導式無線通信伝送装置１００をイヤホン機能に設定する場合、伝送装置５と使用しようとする製品、例えばＭＰ３再生機、ヘッドホンステレオ、計算機、再生録音機、オーディオとテレビなどの製品とを接続させ、信号送受信器５１を介して音声信号を伝送し、続いて無線通信伝送装置３の機能選択器３５を介して信号処理ユニット３０の機能モジュール４０においてイヤホンの使用に切り換えれば本発明による装置が無線受話機能を有するイヤホンに変わる。
【００３０】
本実施例では、無線調整器を介して以上のそれぞれの機能モジュール４０の切換作業を行うことが可能である。
本実施例では、ホルダー装置はめがね、水中眼鏡、塵除けめがね、ゴーグル、鼻用マスク、口用マスク、マスク、頭部用マスク、シール、鼻用クリップまたは鼻部の骨・皮膚に貼り付けることができるものなどのいずれか一つである。伝送装置５の無線通信機は携帯電話、ＰＤＡ、計算機、無線対話器またはＲＦ、マイクロ波、赤外線伝送機などの通信製品である。信号プロセッサー５４は集積回路製品に統合することが可能である。伝送装置５の信号送受信器５１は無線通信器５０内に内蔵することが可能であるため、接続器５２を介して無線通信器５０に接続する必要がなくなる。
本実施例では、鼻骨伝導式無線通信伝送装置１００と信号送受信器５１とを結合させて鼻骨伝導式無線通信伝送システムを構成することが可能である。
【００３１】
図２から図４に示すように、本発明による鼻骨伝導式無線通信伝送システムと、市内電話の通話中と頸部に貼り付ける接触式間接伝導マイクの音声周波信号テストを示すグラフは、骨伝導式振動発声の音声周波信号のグラフの縦軸が帯域幅となり、横軸が周波数となる。周波数が５００Ｈｚから１ｋＨｚの間である場合、帯域幅は−２０ｄＢから−３０ｄＢとなり、周波数が１ｋＨｚから２ｋＨｚの間である場合、帯域幅は−１０ｄＢから−２０ｄＢとなり、周波数が２ｋＨｚから５ｋＨｚの間である場合、帯域幅は−１０ｄＢから−３０ｄＢとなる。図３に示す市内電話の通話中の音声周波信号のグラブにおいて、周波数が５００Ｈｚから１ｋＨｚの間である場合、帯域幅は−１０ｄＢから−２０ｄＢとなり、周波数が１ｋＨｚから５ｋＨｚの間である場合、帯域幅は−１０ｄＢから−２０ｄＢとなる。図4に示す周知の頸部に貼り付ける接触式間接伝導の音声周波信号グラブにおいて、周波数が５００Ｈｚから１ｋＨｚの間である場合、帯域幅は−１０ｄＢから−２０ｄＢとなり、周波数が１ｋＨｚから２ｋＨｚの間である場合、帯域幅は−２０ｄＢから−３０ｄＢとなり、周波数が２ｋＨｚから５ｋＨｚの間である場合、帯域幅は−３０ｄＢ以下となる。上述のデータから、周知の頸部に貼り付ける接触式間接伝導の音声周波信号と比べて本発明による鼻骨伝導式無線通信伝送システムが使用した骨伝導式振動発声の音声周波信号は音質が明晰な市内電話の音声周波信号に近いため良好な伝送音質を得ることが可能であることが判明した。
【００３２】
図５と図１は本発明による鼻骨伝導式無線通信伝送装置をめがねに嵌め込むことができるホルダーの立体図である。めがねに適用された本発明による鼻骨伝導式無線通信伝送装置１００はめがね、嵌め込み式ホルダーと伝送装置を備える。めがね６はフレームのブリッジ６０と一対のフレームの鼻あて６１を有する。嵌め込み式ホルダー７はめがね６に嵌め込みまれ、嵌め込み式ホルダー７は無線通信伝送装置３を内蔵し、ホルダーのプレートに無線通信伝送装置３の機能選択に対応する電源スイッチ４７、機能選択器３５、音源切換器３４、周波数を調整するモジュール４１、音量調整器３２と送話器３３を有する。伝送装置５は無線通信器５０を有する携帯電話と外接の信号送受信器５１から構成される。
【００３３】
続いて図５に示すように、一対のフレームの鼻あて６１のうちの一つのフレームの鼻あて内に骨伝導式出力装置１を内蔵し、別のフレームの鼻あて内に骨伝導式入力装置２を内蔵し、そして信号伝送線４６を介してフレームの鼻あて６１の骨伝導式出力装置１と骨伝導式入力装置２とを嵌め込み式ホルダー７内の無線通信伝送装置３に接続させることにより通信を行い、続いて伝送装置５の携帯電話を信号送受信器５１に接続させ、そして無線伝送により嵌め込み式ホルダー７の無線通信伝送装置３に接続させれば本発明による鼻骨伝導式無線通信伝送装置１００が完成する。
【００３４】
図６は取り外し可能な方法で本発明による鼻骨伝導式無線通信伝送装置をめがねに挟む（或いは貼り付ける）ことができるホルダーの立体図である。めがねに適用された本発明による鼻骨伝導式無線通信伝送装置１００はめがね、取り外し可能なホルダーと伝送装置を備える。めがね６はフレームのブリッジ６０と一対のフレームの鼻あて６１を有する。取り外し可能なホルダー８は背部にフレームのブリッジ６０に挟む貼付装置９を有し、かつ取り外し可能なホルダー８は無線通信伝送装置３を内蔵し、ホルダーのプレートに無線通信伝送装置３の機能選択に対応する電源スイッチ４７、機能選択器３５、音源切換器３４、周波数を調整するモジュール４１、音量調整器３２と送話器３３を有する。伝送装置５は無線通信器５０を有する携帯電話と外接の信号送受信器５１から構成される。
【００３５】
続いて図６に示すように、一対のフレームの鼻あて６１のうちの一つのフレームの鼻あて内に骨伝導式出力装置１を内蔵し、別のフレームの鼻あて内に骨伝導式入力装置２を内蔵し、そして信号伝送線４６を介してフレームの鼻あて６１の骨伝導式出力装置１と骨伝導式入力装置２とを取り外し可能なホルダー８内の無線通信伝送装置３に接続させることにより通信を行い、続いて伝送装置５の携帯電話を信号送受信器５１に接続させ、そして無線伝送により取り外し可能なホルダー８の無線通信伝送装置３に接続させれば本発明による鼻骨伝導式無線通信伝送装置１００が完成する。
【００３６】
図７は本発明による鼻骨伝導式補聴装置を示すブロックである。本発明による鼻骨伝導式補聴装置２００は調整制御装置１０１、骨・皮膚伝導式振動装置１０２とホルダー装置を備える。調整制御装置１０１は電源供給装置１１０、送話器１１１、電波アンプ１１２、周波数制御処理モジュール１１３、警告器１１４、信号処理モジュール１１５、フィードバック除去処理モジュール１１６、音量調整器１１７と信号伝送線１０５を含み、骨・皮膚伝導式振動装置１０２は振動器１２０を有し、ホルダー装置（図８と図９に示す通り）は調整制御装置１０１と骨・皮膚伝導式振動装置１０２を載せ、鼻部に貼り付けられる。
【００３７】
図７に示すように、骨・皮膚伝導式振動装置１０２は使用者の鼻部に緊密に貼り付けられ、かつ骨・皮膚伝導式振動装置１０２の振動器１２０は受けた電波を振動波に転換し、そして鼻部の骨・皮膚を介して耳内へ伝導させるため受話機能を形成することが可能である。調整制御装置１０１は外部から伝送された音声信号を受信・処理することが可能であり、調整制御装置１０１の電源供給器１１０は本発明による鼻骨伝動式補聴器２００に必要な電力を供給することが可能であり、また電源供給装置１１０は一般的な電池または電源を供給可能な装置などである。送話器１１１は音声を収集するマイクである。電波アンプ１１２は送話器１１１が収集した音声の信号を増強することが可能である。周波数制御処理モジュール１１３は送話器１１１と電波アンプ１１２の信号に対し周波数選択を行うことが可能である、警告器１１４は供給された電力が下がり必要な電力よりも低くなると自動的に警告を発することにより使用者に電池更新を知らせることが可能である。信号処理モジュール１１５は周波数が選択された信号を再処理し、出力する音声を使用者の聴覚の需要に満足させることが可能である。フィードバック除去処理モジュール１１６は信号処理モジュール１１５の電子信号が騒音フィードバックを生じた時、自動的に一組の反対方向の電子信号を生じて騒音フィードバックと相殺させることにより鼻骨伝動式補聴器２００の音声フィードバックを減少させ、かつフィードバック除去の機能を達成し、干渉源を低下させることにより音質の安定度を保持することが可能である。音量調整器１１７は音量を調整することが可能である。
【００３８】
本発明による鼻骨伝動式補聴器２００は稼動の際、電源供給装置１１０を介して鼻骨伝動式補聴器２００に必要な電力を供給し、そして警告器１１４を介して電力の状態を検知し、電力が低電量状態となる場合、直接音量調整器１１７を介して警告信号を骨・皮膚伝導式振動装置１０２に伝送し、使用者に知らせることにより電池の取り換えを早めることが可能であり、また電力が低電量状態でない場合、送話器１１１を介して音声を収集し、そして電波アンプ１１２を介して送話器１１１が収集した音声の信号強度を増強し、続いて周波数制御処理モジュール１１３を介して周波数の選択・処理を行うことにより最良な周波数を取得し、続いて信号処理モジュール１１５を介して信号を処理することにより外部の音声の音質を使用者に満足させる。使用の最中に音声フィードバック現象が起こった時、フィードバック除去処理モジュール１１６を介して自動的に一組の反対方向の電子信号を生じて騒音フィードバックと相殺させることにより鼻骨伝動式補聴器２００の音声フィードバックを減少させ、フィードバックに伴い生じたノイズ現象を除去し、そののち音量調整器１１７を介して使用者に求められる音量と一致するように音量を調整する。最後に、信号伝送線１０５を介して音声信号を骨・皮膚伝導式振動装置２に伝送し、続いて骨・皮膚伝導式振動装置１０２の振動器１２０を介して電波信号を振動波に転換し、鼻部の骨・皮膚を介して耳内へ伝導させる。従って、本発明は鼻部の骨・皮膚を介して伝導するルートにより達成した補聴効果が先行技術の効果に優れた。
【００３９】
図８と図７は取り外しが可能な方法で本発明による鼻骨伝導式補聴装置をめがねに挟む（或いは貼り付ける）ことができるホルダーの立体図である。めがねに適用された本発明による鼻骨伝導式補聴装置２００はめがねと取り外し可能なホルダーを備える。めがね１０３はフレームのブリッジ１３０と一対のフレームの鼻あて１３１を有する。取り外し可能なホルダー１０６は背部にフレームのブリッジ１３０に挟む貼付装置１０７を有し、かつ取り外し可能なホルダー１０６は調整制御装置１０１を内蔵し、取り外し可能なホルダー１０６のプレートに調整制御装置１０１の機能選択に対応する送話器１１１と音量調整器１１７を有する。
【００４０】
続いて図に示すように、一対のフレームの鼻あて１３１内に骨・皮膚伝導式振動装置１０２を内蔵し、信号伝送線５を介して一対のフレームの鼻あて１３１内の骨・皮膚伝導式振動装置１０２と取り外し可能なホルダー１０６内の調整制御装置１０１とを接続させることにより通信を行い、続いて取り外し可能なホルダー１０６上の送話器１１１を介して音声信号を受信し、そののち調整制御装置１０１の電波アンプ１１２を介して送話器１１１の信号強度を増大させ、続いて周波数制御処理モジュール１１３を介して周波数選択処理を行い、そののち信号処理モジュール１１５を介して信号の再処理を行い、そしてフィードバック除去処理モジュール１１６を介して鼻骨伝動式補聴器２００の音声フィードバックを減少させるか除去し、続いて音量調整器１１７を介して音量を調整し、最後に信号伝送線５を介して信号を一対のフレームの鼻あて１３１内の骨・皮膚伝導式振動装置１０２に伝送し、骨・皮膚伝導式振動装置１０２の振動器１２０を介して電波を振動波に転換し、鼻部の骨・皮膚を介して耳内へ伝導させ、受話機能を達成すればめがね１０３に適用された本発明による鼻骨伝導式補聴装置２００が完成する。
【００４１】
図９と図７は本発明による鼻骨伝導式補聴装置をめがねに嵌め込むことができるホルダーの立体図である。めがねに適用された本発明による鼻骨伝導式補聴装置２００はめがねと嵌め込み式ホルダーを備える。めがね１０３はフレームのブリッジ１３０と一対のフレームの鼻あて１３１を有する。嵌め込み式ホルダー１０４はめがね１０３に嵌め込まれ、かつ嵌め込み式ホルダー１０４は調整制御装置１０１を内蔵し、嵌め込み式ホルダー１０４のプレートに調整制御装置１０１の機能選択に対応する送話器１１１と音量調整器１１７を有する。
【００４２】
続いて図９に示すように、一対のフレームの鼻あて１３１内に骨・皮膚伝導式振動装置１０２を内蔵し、信号伝送線１０５を介して一対のフレームの鼻あて１３１内の骨・皮膚伝導式振動装置１０２と嵌め込み式ホルダー１０４内の調整制御装置１０１とを接続させることにより通信を行い、続いてホルダー１０４上の送話器１１１を介して外部の音声信号を受信し、そののち調整制御装置１０１の電波アンプ１１２を介して送話器１１１の信号強度を増大させ、続いて周波数制御処理モジュール１１３を介して周波数選択処理を行い、そののち信号処理モジュール１１５を介して信号処理を行い、そしてフィードバック除去処理モジュール１１６を介して鼻骨伝動式補聴器２００の音声フィードバックを減少させるか除去し、続いて音量調整器１１７を介して音量を調整し、最後に信号伝送線１０５を介して音声信号を一対のフレームの鼻あて１３１内の骨・皮膚伝導式振動装置１０２に伝送し、骨・皮膚伝導式振動装置１０２の振動器１２０を介して電波を振動波に転換し、鼻部の骨・皮膚を介して耳内へ伝導させればめがね１０３に適用された本発明による鼻骨伝導式補聴装置２００が完成する。
【００４３】
以上は本発明の実施例についての説明であったが、明細書により掲示された実施例の実施方法は本発明を制限することができない。また本発明の技術を熟知している人は本発明の精神と請求範囲を逸脱しない限り変更と修正をすることは本発明の請求範囲に属すべきである。
【図面の簡単な説明】
【００４４】
【図１】本発明による鼻骨伝導式無線通信伝送システムを示すブロックである。
【図２】本発明による鼻骨伝導式無線通信伝送システムの音声周波信号テストを示すグラフである。
【図３】市内電話の通話中の音声周波信号を示すグラフである。
【図４】周知の頸部に貼り付ける接触式間接伝導マイクの音声周波信号を示すグラフである。
【図５】本発明による鼻骨伝導式無線通信伝送装置をめがねに嵌め込むことができるホルダーを示す模式図である。
【図６】取り外し可能な方法で本発明による鼻骨伝導式無線通信伝送装置をめがねに挟む（或いは貼り付ける）ことができるホルダーを示す模式図である。
【図７】本発明による鼻骨伝導式補聴装置を示すブロックである。
【図８】は取り外しが可能な方法で本発明による鼻骨伝導式補聴装置をめがねに挟む（或いは貼り付ける）ことができるホルダーを示す模式図である。
【図９】本発明による鼻骨伝導式補聴装置をめがねに嵌め込むことができるホルダーを示す模式図である。
【符号の説明】
【００４５】
１：骨伝導式出力装置、２：骨伝導式入力装置、３：無線通信伝送装置、５：伝送装置、６：めがね、７：嵌め込み式ホルダー、８：取り外し可能なホルダー、９：貼付装置、１０：振動器、２０：振動器、３０：信号処理ユニット、３１：信号送受信ユニット、３２：音量調節器、３３：送話器、３４：音源切換器、３５：機能選択器、３６：信号プロセッサー、３７：パラメーター保存器、３８：パラメーター修正レジスタ、３９：フィードバック除去処理モジュール、４０：機能モジュール、４１：周波数を調整するモジュール、４２：ＲＦ信号受信モジュール、４３：ＲＦ信号送信モジュール、４４：ＲＦ信号アンプ、４５：電子フィルター、４６：伝送線、４７：電源スイッチ、４８：電源供給器、４９：警告器、５０：無線通信器、５１：信号送受信器、５２：接続器、５３：アンテナ、５４：信号プロセッサー、５５：ＲＦ信号受信モジュール、５６：ＲＦ信号送信モジュール、５７：周波数を調整するモジュール、５８：アンテナ、６０：フレームのブリッジ、６１：フレームの鼻あて、１００：鼻骨伝導式無線通信伝送装置、２００：鼻骨伝導式補聴装置、１０１：調整制御装置、１０２：骨・皮膚伝導式振動装置、１０３：めがね、１０４：嵌め込み式ホルダー、１０５：信号伝送線、１０６：取り外しが可能なホルダー、１０７：貼付装置、１１０：電源供給装置、１１１：送話器、１１２：電波アンプ、１１３：周波数制御処理モジュール、１１４：警告器、１１５：信号処理モジュール、１１６：フィードバック除去処理モジュール、１１７：音量調節器、１２０：振動器、１３０：フレームのブリッジ、１３１：フレームの鼻あて
【図１】
2008511217.tif 000003
【図２】
2008511217.tif 000004
【図３】
2008511217.tif 000005
【図４】
2008511217.tif 000006
【図５】
2008511217.tif 000007
【図６】
2008511217.tif 000008
【図７】
2008511217.tif 000009
【図８】
2008511217.tif 000010
【図９】
2008511217.tif 000011
【国際調査報告】
2008511217.tif 000012
2008511217.tif 000013
2008511217.tif 000014
2008511217.tif 000015